(57)【要約】【課題】  理容師、美容師の手の姿勢を変えることなく、鋏の角度を任意の位置に保持しうる、使い勝手のよい理美容鋏の提供。【解決手段】  一対の鋏材３、４の各柄部２に保持アーム５を第１枢着部６で軸支し、それぞれの保持アーム５に指環７の両端を第２枢着部８で軸支する。そして、各指環７に一対の指を挿通して、鋏の角度を任意に維持できる程度に、第１枢着部６および第２枢着部８の周りの回転抵抗の大きさを定める。【選択図】        図３
2010246757.tif 000002
【特許請求の範囲】
【請求項１】
刃部(1) と柄部(2) とを有する一対の鋏材(3)(4)の中間が互いに枢着された理美容鋏において、
各柄部(2) の外面にそれぞれ略Ｕ字状の保持アーム(5) が鋏材(3)(4)の軸線に交差する軸線の回りに第１枢着部(6) で軸支され、各保持アーム(5) のＵ字の開口端に環状の指環(7) の両端が第２枢着部(8) で軸支され、
各指環(7) に挿入した指のみで鋏を保持して、その鋏材(3)(4)の平面を水平姿勢に維持できると共に、鋏に外力を加えたとき、水平から垂直の任意の角度に維持される程度に、前記第１枢着部(6) および第２枢着部(8) のまわりの回転抵抗の大きさを定めたことを特徴とする理美容鋏。
【請求項２】
請求項１において、
前記保持アーム(5) が、アーム本体(5a)とその中間の外面に突設した軸部(5b)とを有し、その軸部(5b)が柄部(2) を貫通し、その先端のネジ部(5b)に調整撮(9) が螺着されて、柄部(2) を調整撮(9) と軸部(5b)の付根との間で挟持し、その調整撮(9) の締め付け力により、前記第１枢着部(6) の回転抵抗を調整できるように構成された理美容鋏。
【請求項３】
請求項１または請求項２において、
保持アーム(5) の両端内側に凹部(10)が設けられ、その凹部(10)に指環(7) の両端に突設された凸部(7a)が嵌着し、保持アーム(5) の弾性力により指環(7) を締結挟持して、前記第２枢着部(8) の回転抵抗を構成した理美容鋏。
【請求項４】
請求項３において、
前記凹部(10)が円錐状に凹陥され、前記凸部(7a)が略半球状に形成され、前記指環(7) の平面形状が第２枢着部(8) の軸線方向に長軸となる楕円に形成された理美容鋏。
【発明の詳細な説明】
【技術分野】
【０００１】
本発明は、理容または美容に用いる鋏であり、さらには犬や猫のトリミングにも使用することができる鋏に関する。より詳しくは、理美容師にとってカット作業に伴う疲労を最小限に抑えることができる、使い勝手のよい鋏に関する。
【背景技術】
【０００２】
取扱い易い理美容鋏として、本出願人は既に、下記実用新案公報の理美容鋏を提案している。これは一方の柄に取付けた指環が三軸まわりに回動するものである。即ち、円形の指環の両側が半円状の保持アームの両端内面に軸支され、その保持アームの中間が取付金具に軸支され、その取付金具が鋏の一方の柄に回動自在に軸支されたものである。この考案は、一例として利き手の中指を固定指環に挿入し、親指を可動する指環に挿入する。そして、鋏を任意の方向に向けると、それに伴って可動側の指環が回動する。そのため作業性のよい鋏となる。
【先行技術文献】
【特許文献】
【０００３】
【特許文献１】実開平１−１７８８７７号公報
【発明の概要】
【発明が解決しようとする課題】
【０００４】
通常の理美容鋏は、図６に示す如く、二つの指環がともに固定され、その鋏１８ｂを下方に向けて髪をカットするときには、理美容師の肘１９が高く上方に位置し、手首が強く曲がる。それに伴い、図示しない肩が上方に上がる。そのため、肩こりや関節炎、腱鞘炎の原因となっていた。
次に、一方の指環のみが回動する、図５における鋏１８ａの場合には、それを下向きに保持したとき、図６の場合に比べて手首の角度が緩くなると共に、肘１９も図６の場合より少し低くなる。そのため、理美容師の負担がある程度軽くなる特徴がある。
しかしながら、依然として肘１９は上方に位置し肩が上がることには変わりはない。それに基づく、肩こりや腱鞘炎、関節炎の発生が心配される。
そこで本発明は、理美容師の負担を極限まで軽減することができると共に、使い勝手のよい、鋏を提供することを課題とする。
【課題を解決するための手段】
【０００５】
請求項１に記載の本発明は、刃部(1) と柄部(2) とを有する一対の鋏材(3)(4)の中間が互いに枢着された理美容鋏において、
各柄部(2) の外面にそれぞれ略Ｕ字状の保持アーム(5) が鋏材(3)(4)の軸線に交差する軸線の回りに第１枢着部(6) で軸支され、各保持アーム(5) のＵ字の開口端に環状の指環(7) の両端が第２枢着部(8) で軸支され、
各指環(7) に挿入した指のみで鋏を保持して、その鋏材(3)(4)の平面を水平姿勢に維持できると共に、鋏に外力を加えたとき、水平から垂直の任意の角度に維持される程度に、前記第１枢着部(6) および第２枢着部(8) のまわりの回転抵抗の大きさを定めたことを特徴とする理美容鋏である。
【０００６】
請求項２に記載の本発明は、請求項１において、
前記保持アーム(5) がアーム本体(5a)とその中間の外面に突設した軸部(5b)とを有し、その軸部(5b)が柄部(2) を貫通し、その先端のネジ部(5b)に調整撮(9) が螺着されて、柄部(2) を調整撮(9) と軸部(5b)の付根との間で挟持し、その調整撮(9) の締め付け力により、前記第１枢着部(6) の回転抵抗を調整できるように構成された理美容鋏である。
【０００７】
請求項３に記載の本発明は、請求項１または請求項２において、
保持アーム(5) の両端内側に凹部(10)が設けられ、その凹部(10)に指環(7) の両端に突設された凸部(7a)が嵌着し、保持アーム(5) の弾性力により指環(7) を締結挟持して、前記第２枢着部(8) の回転抵抗を構成した理美容鋏である。
【０００８】
請求項４に記載の本発明は、請求項３において、
前記凹部(10)が円錐状に凹陥され、前記凸部(7a)が略半球状に形成され、前記指環(7) の平面形状が第２枢着部(8) の軸線方向に長軸となる楕円に形成された理美容鋏である。
【発明の効果】
【０００９】
本発明の理美容鋏は、各柄部２の外面に一対の保持アーム５が第１枢着部６で軸支され、各保持アーム５にそれぞれ指環７の両端が第２枢着部８で軸支されている。そして、各指環７に挿入した指のみで鋏を保持して、その鋏材３，４の平面を水平姿勢に維持できると共に、外力を加えて任意の角度に維持できる程度に、第１枢着部６および第２枢着部８はその回転抵抗を有する。そのため保持した鋏の傾き角度を任意に保持しても、理美容師の手首を曲げず、肘を低い位置にした状態で、被理美容者の髪の各部を容易にカットすることができる。即ち、カット時に疲れを最小限にする鋏を提供できる。これは図４に示す如く、理美容師の肘１９を自然に下げた無理のない姿勢で鋏１８の角度を任意に保持してカットできることを意味する。
逆にいえば、従来型鋏の図５または図６のように理美容師の肘１９を上方に維持して肩を持上げた状態でカットする無理な姿勢をとる必要がない。そのため疲労感の少ない理美容鋏となる。
【００１０】
上記構成において、アーム本体５ａの軸部５ｂを柄部２に貫通し、その先端に調整撮９を螺着し、柄部２を調整撮９と軸部５ｂの付根とで挟持し、調整撮９の締付力により、第１枢着部６の回転抵抗を調整できるようにすることができる。この場合には回転抵抗の調整が容易で且つ理美容師の好みにより、その抵抗の大きさを容易に変えることができる。
上記いずれかの構成において、保持アーム５の両端内側の凹部１０に保持アーム５の両端に設けた凸部７ａを嵌着し、保持アーム５の弾性力により指環７を締結挟持し、第２枢着部８の回転抵抗を構成することができる。この場合には、その構造が単純化され、取扱い易い故障の起きにくい理美容鋏となる。
【図面の簡単な説明】
【００１１】
【図１】本発明の理美容鋏１８を示し、（Ａ）はその平面図、（Ｂ）は（Ａ）のＢ−Ｂ矢視図、（Ｃ）は（Ａ）のＣ−Ｃ矢視図。
【図２】同鋏の保持アーム５および指環７であって、（Ａ）はその分解斜視図、（Ｂ）は指環７の斜視図、（Ｃ）はアーム本体５ａの斜視図、（Ｄ）は（Ｃ）のＤ−Ｄ矢視断面図。
【図３】本発明の鋏１８の使用状態を示す斜視図。
【図４】同鋏１８の使用説明図。
【図５】従来型理美容鋏の使用説明図。
【図６】他の従来型理美容鋏の使用説明図。
【発明を実施するための形態】
【００１２】
次に、図面に基づいて、本発明の理美容鋏の実施の形態につき説明する。図１は本発明の鋏１８を示す。
本発明の鋏１８は、図１（Ａ）に示す如く、刃部１と柄部２とを有する一対の鋏材３、４の中間が主軸１２により枢着されている。そして、それぞれの柄部２の中間部に軸穴を有し、そこに保持アーム５の軸部５ｂが図２（Ａ）の如く、貫通される。その軸部５ｂの先端には調整撮９が螺着締結され、それと軸部５ｂの根元との間で柄部２を挟持し、第１枢着部６を構成する。その保持アーム５のアーム本体５ａは、半円よりもやや直径方向に広く開口した略Ｕ字状をなし、その両端部内面と指環７の両側面とが第２枢着部８により軸支されている。その指環７は、その第２枢着部８の軸線方向に長軸を有する楕円形に形成されている。この第１枢着部６および第２枢着部８は、鋏材３，４に指等で外力を加えることにより相対回転する程度の回転抵抗を有する。
【００１３】
図２（Ａ）は保持アーム５と指環７との分解斜視図である。そのアーム本体５ａは（Ｃ）、（Ｄ）に示す如く、Ｕ字状の両端内面に一対の凹部１０が設けられている。この凹部１０は（Ｄ）に示す如く、円錐状に形成されている。また、アーム本体５ａの中央にはネジ穴１６が形成され、そのネジ穴１６に軸部５ｂの一端が螺着締結される。また、指環７は、その長軸方向両端に半球状の凸部７ａが一対突設され、それぞれの凸部７ａがウレタンワッシャ１５を介し、アーム本体５ａの凹部１０に圧着状態で締結挟持される。これはアーム本体５ａの弾性力を利用して指環７をアーム本体５ａに軸支するものである。即ち、アーム本体５ａの両腕を拡開して弾性変形して、指環７の両凸部７ａをウレタンワッシャ１５を介して挿入し、次いでアーム本体５ａの拡開を戻す。すると、アーム本体５ａの弾性力が少し維持された状態で指環７を締結挟持する。
【００１４】
次いで、図２（Ａ）の如く、保持アーム５の軸部５ｂにワッシャ１３を介し、それを柄部２の孔に挿通する。そして軸部５ｂの端部にスプリングワッシャ１３ａ、ベアリング１４、ワッシャ１３を順に挿通し、調整撮９を螺着締結する。その締結程度は調整撮９の回動量により調節できる。このようにして一対の柄部２に、それぞれ保持アーム５および指環７が取付けられる。そして、それぞれの第１枢着部６、第２枢着部８はそのまわりに回転するために一定の回転抵抗を有する。そして、その回転抵抗によって、鋏の自重を十分支持しうる。即ち、図３において、一例として親指１７ａと薬指１７ｂとを一対の指環７に挿入して、鋏１８の平面を一定角度に保持したとき、その状態が保持される。仮に第１枢着部６、第２枢着部８が自由に回転すると、図３の状態を維持することはできない。図１における（Ｂ）、（Ｃ）は指環７および保持アーム５の回動範囲を図示したものである。即ち、保持アーム５は（Ｂ）に示す如く、柄部２の第１枢着部６のまわりに３６０度回転が可能である。また、指環７は保持アーム５の第２枢着部８のまわりに３６０度回転可能である。
【００１５】
〔作用〕
鋏１８は、第１枢着部６および第２枢着部８の回転抵抗の存在により、図４において、鎖線における水平状態および垂直状態並びにそれらの中間（図３）の各姿勢を保持できる。鎖線の水平状態から、実線の垂直状態に変化させるには、他方の手で鋏１８の先端部を下方に回動させればよい。あるいは、鋏を持つ手の他の指で回動すればよい。それを４５度の姿勢にするには、その位置で回動を止めればよい。なお、それらの回動にともなって、図３に示す如く、第１枢着部６のまわりに保持アーム５が回動すると共に、第２枢着部８のまわりに指環７が回動する。即ち、親指１７ａ、薬指１７ｂの位置を変更することなく、鋏１８を任意の角度に保持できる。これは、各保持アーム５が第１枢着部６のまわりに回動しただけで、指環７が第２枢着部８のまわりに回動し、親指１７ａ、薬指１７ｂを変化させることなく、各指環７の向きが変化し、理美容師の手の向きを一定に維持する。
【符号の説明】
【００１６】
１  刃部
２  柄部  
３  鋏材  
４  鋏材  
５  保持アーム  
5a  アーム本体  
5b  軸部  
６  第１枢着部  
【００１７】
７  指環  
7a  凸部  
８  第２枢着部  
９  調整撮  
10  凹部  
11  ストッパ
12  主軸  
13  ワッシャ
13a  スプリングワッシャ
14  ベアリング
【００１８】
15  ウレタンワッシャ
16  ネジ穴
17  手
17a  親指
17b  薬指
18  鋏
18a  鋏
18b  鋏
19  肘
【図１】
2010246757.tif 000003
【図２】
2010246757.tif 000004
【図３】
2010246757.tif 000005
【図４】
2010246757.tif 000006
【図５】
2010246757.tif 000007
【図６】
2010246757.tif 000008